(57)【特許請求の範囲】
【請求項１】
包装体における帯状領域を切り取って開封するための開封構造であって、
前記帯状領域において巾方向一側の端縁に沿って延設された第一切取部と、
前記帯状領域において巾方向他側の端縁に沿って延設された第二切取部と、を備え、
前記第一切取部および前記第二切取部の延設された方向に沿う方向であって前記第一切取部から前記第二切取部へ向かう方向が前記帯状領域の切り取られる方向として設定され、
前記第一切取部は、前記切り取られる方向に前記帯状領域が切り取られる場合に巾方向一側の前記端縁に沿って切り取られるように破断強度が設定され、
前記第二切取部は、前記切り取られる方向に前記帯状領域が切り取られる場合に巾方向他側の前記端縁に沿って切り取られるように破断強度が設定されるとともに前記第一切取部よりも破断強度が小さく設定され、
前記包装体の端縁と前記帯状領域との間に前記第一切取部および前記第二切取部よりも破断強度が大きく設定された不感領域が設けられた
ことを特徴とする開封構造。
【請求項２】
前記第一切取部には、断続的に切り込まれた第一のカット部が設けられ、
前記第二切取部には、前記第一のカット部よりも長い寸法で断続的に切り込まれた第二のカット部が設けられた
ことを特徴とする請求項１に記載の開封構造。
【請求項３】
前記第一切取部には、断続的に切り込まれたカット部どうしの間に第一の非カット部が間欠的に設けられ、
前記第二切取部には、断続的に切り込まれたカット部どうしの間に前記第一の非カット部よりも短い寸法の第二の非カット部が間欠的に設けられた
ことを特徴とする請求項１または２に記載の開封構造。
【請求項４】
前記帯状領域の長手方向一側に設けられ、前記帯状領域の長手方向中央側へ向かうほど巾方向の寸法が小さくなるテーパー部を備えた
ことを特徴とする請求項１〜３の何れか１項に記載の開封構造。
【請求項５】
前記帯状領域の長手方向一端よりも長手方向他端のほうが巾方向の寸法が小さく設定された
ことを特徴とする請求項１〜４の何れか１項に記載の開封構造。
【請求項６】
前記帯状領域に設けられ、前記第一切取部と前記第二切取部とを結ぶ連続した切込線で巾方向一側および巾方向他側ならびに長手方向端部の三方が囲繞された持手部を備えた
ことを特徴とする請求項１〜５の何れか１項に記載の開封構造。
【請求項７】
請求項１〜６の何れか１項に記載の開封構造と、
開口を有する袋と、
前記開口の一側で前記袋から延出し、前記袋に貼り付けられ、前記開封構造の設けられた舌片と、を備えた
ことを特徴とする包装体。
【発明の詳細な説明】
【技術分野】
【０００１】
本発明は、包装体を帯状に切り取って開封するための開封構造およびこの開封構造を備えた包装体に関する。
【背景技術】
【０００２】
袋や箱などの包装体を開封するための構造の一つとして、切取部の設けられた構造が知られている。たとえば、並んで延設された一対の切取部がそれぞれ同様に切り込まれ、切取部どうしの間に延在する帯状領域が引き千切られる開封構造が提案されている（特許文献１，２参照）。
【先行技術文献】
【特許文献】
【０００３】
【特許文献１】特開2014-133597号公報
【特許文献２】特許第5948463号公報
【発明の概要】
【発明が解決しようとする課題】
【０００４】
しかしながら、上述のように切取部のそれぞれが同様に切り込まれた開封構造では、帯状領域がその延在方向に対して傾斜する方向へ引っ張られた際に、切取部の破断不良を招くおそれがある。具体的には、一方の切取部から他方の切取部へ向かう成分を有する引張力で帯状領域が切り取られる際に、一方の切取部は良好に破断されるものの、他方の切取部で破断不良を招くおそれがある。
よって、開封構造の破断不良を抑えるうえで改善の余地がある。
【０００５】
本件は、開封構造の破断不良を抑えることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００６】
ここで開示する開封構造は、包装体における帯状領域を切り取って開封するための開封構造であって、前記帯状領域において巾方向一側の端縁に沿って延設された第一切取部と、前記帯状領域において巾方向他側の端縁に沿って延設され、前記第一切取部よりも破断強度が小さく設定された第二切取部と、を備えている。
ここで開示する包装体は、上記の開封構造と、開口を有する袋と、前記開口の一側で前記袋から延出し、前記袋に貼り付けられ、前記開封構造の設けられた舌片と、を備えている。
【発明の効果】
【０００７】
本件によれば、開封構造の破断不良を抑えることができる。
【図面の簡単な説明】
【０００８】
【図１】包装体の分解斜視図である。
【図２】包装体の取説部を示す平面図である。
【図３】開封前の包装体を示す斜視図である。
【図４】開封後の包装体を示す斜視図であり、（ａ）に第一開封状態を示し、（ｂ）に第二開封状態を示し、（ｃ）に第三開封状態を示す。
【図５】包装体の開封構造を示す平面図である。
【発明を実施するための形態】
【０００９】
以下、実施形態としての包装体および開封構造を説明する。
本実施形態の包装体は、袋状のパッケージである。ここでは、包装体に収容される包装対象として、積み重ねられたティシュペーパを例示する。具体的には、ポップアップ方式で順次取り出されるように積重されたティシュペーパを包装対象の例に挙げる。
本実施形態の開封構造は、包装体の一部を切り取って開封するための構造である。この開封構造は、ティシュペーパが包装された袋状の包装体を開封する構造に適用されるだけでなく、ティシュペーパのほかにさまざまな物品を収容する包装体に適用することができ、袋状に限らず箱状の包装体にも適用可能である。
【００１０】
下記の一実施形態では、包装体が水平面に載置されたものとし、水平方向を前後方向（図中には前方を「Ｆ」で示すとともに後方を「Ｂ」で示す）および左右方向（図中には左方を「Ｌ」で示すとともに右方を「Ｒ」で示す）に大別して説明する。また、鉛直方向のうち、重力の作用方向を下方（図中には「Ｄ」で示す）とし、下方の反対方向を上方（図中には「Ｕ」で示す）とする。
そのほか、特に断らない限り、任意の数値を「数値Ｘ」とするとともに数値Ｘよりも大きい任意の数値を「数値Ｙ」とするもとで「数値Ｘ〜数値Ｙ」なる表現は、数値Ｘ以上であって数値Ｙ以下の範囲を意味する。
【００１１】
［Ｉ．一実施形態］
下記の一実施形態では、包装体および開封構造の構成を項目［１］で説明する。その後に、項目［１］の構成による作用および効果を項目［２］で述べる。
［１．構成］
本項目［１］では、包装体を小項目［１−１］で説明し、開封構造を小項目［１−２］で説明する。
【００１２】
［１−１．包装体］
包装体には、図１に示すように、以下に示す三つの部材１，２，３が設けられている。
・ガゼット袋１：上部の開口１Ｏからティシュペーパ９が収容された角底袋状の部材
・  舌  片  ２：ガゼット袋１の開口１Ｏから延出した部材（いわゆる「ベロ」）
・バ  ン  ド３：ガゼット袋１の外側に巻回された環状の部材
ガゼット袋１および舌片２は、一体に設けられている。このように連設されたガゼット袋１および舌片２に対してバンド３は、固定されておらず、上下方向の位置が調節自在に設けられている。
【００１３】
ガゼット袋１は、紙製の部材（すなわち「紙袋」）である。ここでは、舌片２やバンド３も紙製の包装体を例説する。すなわち、ガゼット袋１，舌片２およびバンド３の全てが紙製の例を挙げる。詳細に言えば、ガゼット袋１および舌片２にクラフト紙が用いられており、ガゼット袋１および舌片２によってベロ付きのクラフト袋が形成されている。また、バンド３に紙紐が用いられている。
【００１４】
ただし、ガゼット袋１，舌片２，バンド３のそれぞれにおいて、少なくとも一部に樹脂材あるいは金属材といった紙材以外の資材が用いられていてもよい。
さらに、ガゼット袋１および舌片２には、ニスの塗工やサイズ剤の含浸といった耐水加工あるいは撥水加工が施されている。そのほか、ガゼット袋１には、図柄や文字などのデザイン１７がインキで印刷されている。
【００１５】
＜ガゼット袋＞
上記のガゼット袋１には、以下に示す二種の面部１１，１２が設けられている。
・底面部１１：ガゼット袋１の下部で矩形状をなす面部
・立面部１２：底面部１１から開口１Ｏに向けて立設された面部
底面部１１は、矩形状の底部（いわゆる「角底」）をなす部位である。この底面部１１にティシュペーパ９が載置される。立面部１２は、底面部１１の端縁から上方に立設された四角筒状の部位である。この立面部１２の下側でティシュペーパ９の前後左右が囲繞される。これらの底面部１１および立面部１２によって、有底の角筒状にガゼット袋１が形成される。
【００１６】
立面部１２には、以下に示す二種の面部が設けられている。
・ 主面部１３ ：底面部１１の端縁のうち前後の端縁から立設された一対の面部
・マチ面部１４：底面部１１の端縁のうち左右の端縁から立設された一対の面部
主面部１３は、包装体が開封された状態で前後に対向する面状の部位である。具体的に言えば、一対の主面部１３では、前側の前面部１３Ｆと後側の後面部１３Ｂとが前後に向かい合う。この主面部１３は、左右方向の寸法が不変な部位である。
【００１７】
マチ面部１４は、包装体が開封された状態で左右に対向する面状の部位である。具体的に言えば、一対のマチ面部１４では、左側の左面部１４Ｌと右側の右面部１４Ｒとが左右に向かい合う。
このマチ面部１４は、折り畳み自在に設けられ、折り畳まれた状態と折り畳みが展開された状態とで前後方向の寸法が可変な部位である。ガゼット袋１の奥行き（いわゆる「マチ」）は、マチ面部１４によって形成される。
【００１８】
上記のように種々の面部１１〜１４が設けられたガゼット袋１は、上下方向の位置によって下記の二領域Ｒ１，Ｒ２に大別される。
・ 収容領域Ｒ１ ：ティシュペーパ９の収容された領域（底面部１１側の領域）
・非収容領域Ｒ２：ティシュペーパ９の収容されていない領域（開口１Ｏ側の領域）
収容領域Ｒ１には、底面部１１と立面部１２の底面部１１側（開封状態で下側）とが設けられる。この収容領域Ｒ１では、マチ面部１４の折り畳みが展開された状態に設けられ、主面部１３どうしが前後に離間した状態に設けられている。
非収容領域Ｒ２には、立面部１２の開口１Ｏ側（開封状態で上側）が設けられる。この非収容領域Ｒ２では、マチ面部１４が折り畳まれ、主面部１３どうしが前後に重ね合わせられている。
【００１９】
このようにマチ面部１４の形態が相違する領域Ｒ１，Ｒ２のそれぞれでは、水平方向に沿った周囲の寸法である胴囲が異なる。
収容領域Ｒ１の胴囲を「Ｗ１」とし、非収容領域Ｒ２の胴囲を「Ｗ２」とし、主面部１３の左右方向寸法を「Ａ」とし、折り畳みの展開されたマチ面部１４の前後方向寸法を「Ｂ」とすれば、下記の等式（式１）で収容領域Ｒ１の胴囲が表現され、下記の近似式（式２）で非収容領域Ｒ２の胴囲が表現される。
【００２０】
Ｗ１＝２Ａ＋２Ｂ  ・・・式１
Ｗ２≒２Ａ        ・・・式２
すなわち、折り畳みの展開されたマチ面部１４の前後方向寸法を二倍した寸法分だけ収容領域Ｒ１の胴囲のほうが非収容領域Ｒ２の胴囲よりも長い。換言すれば、収容領域Ｒ１よりも非収容領域Ｒ２のほうが細身である。
【００２１】
そのほか、ガゼット袋１のサイズは、五個パックあるいは二個パックといった複数が一セットになって販売されている箱ティシュに相当する容量のティシュペーパ９を収容可能な大きさに設定される。ここで例示するティシュペーパ９は、左右方向（上面視における長手方向）の寸法よりも上下方向（積み重ねられた方向）の寸法のほうが大きいサイズに設定されている。
上記のように大容量のティシュペーパ９を収容するガゼット袋１に設定されるサイズの具体的な範囲を挙げれば、左右方向の寸法（いわゆる「幅方向の寸法」）が１８０〜３００[mm]であり、前後方向の寸法（いわゆる「奥行きの寸法」）が８０〜１４０[mm]であり、上下方向の寸法（いわゆる「高さの寸法」）が３８０〜５８０[mm]である。さらに、ガゼット袋１に採用されるサイズの一例を挙げれば、左右方向の寸法が２４０[mm]であり、前後方向の寸法が１１０[mm]であり、上下方向の寸法が４８０[mm]である。
【００２２】
積み重ねられたティシュペーパ９に採用されるサイズの具体的な範囲を挙げれば、ガゼット袋１よりも小さいサイズに設定されることを前提として、左右方向の寸法が１６０〜２８０[mm]であり、前後方向の寸法が６０〜１２０[mm]であり、上下方向の寸法が２２０〜４２０[mm]である。さらに、ティシュペーパ９に採用されるサイズの一例を挙げれば、左右方向の寸法が２３０[mm]であり、前後方向の寸法が１００[mm]であり、上下方向の寸法が３１０[mm]である。
【００２３】
積み重ねられたティシュペーパ９の組数は、複数が一セットになって販売されている箱ティシュにおけるティシュペーパに相当する組数である。具体的なティシュペーパ９の組数の範囲を挙げれば、１５０〜１２００[組]である。ティシュペーパ９の組数の一例を挙げれば、９２０[組]である。
なお、ティシュペーパ９が２プライや３プライといった複数のプライが重ね合わせられて構成されていれば、プライの数（すなわち「枚数」）は、組数にプライの数を乗算した数となる。
【００２４】
さらに、非収容領域Ｒ２の主面部１３には、開封された包装体の使用方法を表示する取説部１６が設けられている。なお、前面部１３Ｆに取説部１６が設けられた例を図１に示すが、後面部１３Ｂに取説部１６が設けられていてもよい。
取説部１６は、図２に示すように、開封された包装体からティシュペーパ９を取り出しやすい態様にする手順を使用方法の説明としてユーザに表示する部位である。
【００２５】
この取説部１６には、以下に列挙する四つの手順１〜４が表示されている。
・手順１：立面部１２の角部を上方から切り込む手順
・手順２：立面部１２の上部を下方へ折り返す手順
・手順３：バンド３を調節する手順
・手順４：ティシュペーパ９の一部を引き出す手順
【００２６】
手順１は、手順２の折り返しを容易にするための下準備を実施する手順である。図２の手順１には、立面部１２における四つの角部のうち二つの角部を切り込む様子を例示する。ただし、手順１では、立面部１２の少なくとも一箇所を上方から切り込めばよい。更に言えば、手順１を省略して、つぎに説明する手順２の折り返しを実施してもよい。
手順２は、ズボンの裾やシャツの袖をまくりあげる（いわゆる「ロールアップ」）ように、立面部１２の上部を下方へ折り返す手順である。この手順２は、ティシュペーパ９の一部が包装体から延出した状態に保持するための支度を実施する手順と言える。手順２が実施されると、図４（ａ）〜（ｃ）に示すように、立面部１２の折り返された部位で取説部１６が被覆され、取説部１６が外観不能な状態となる。
【００２７】
手順３は、手順２で折り返された立面部１２に応じてバンド３の上下方向位置を調節する手順である。この手順３は、バンド３の調節が不要であれば、省略してもよい。
手順４は、収容されたティシュペーパ９の一部を取出口から延出した状態に引き出す手順である。この手順４でティシュペーパ９の一部が引き出されることにより、図４（ａ）に示すように、箱ティシュからティシュペーパが取り出されるのと同様に、ユーザが速やかにティシュペーパ９を取り出すことができる。
さらに、手順１〜４までが一通り実施された後に再び手順２が実施されれば、図４（ｂ）や図４（ｃ）に示すように、収容されたティシュペーパ９の残量に応じて、ティシュペーパ９の取出口を下方に移動させることができる。
【００２８】
＜舌片＞
収容領域Ｒ１には、舌片２が貼り付けられている。舌片２は、非収容領域Ｒ２から延出している。詳細に言えば、図３に示すように、開封前の包装体における舌片２は、非収容領域Ｒ２における主面部１３のうち後面部１３Ｂから下側（図１のように分解された状態では上側）に延出し、収容領域Ｒ１における主面部１３のうち前面部１３Ｆに貼り付けられる。
【００２９】
この舌片２は、以下に示す二つの部位に大別される。
・重合部２１：後面部１３Ｂに重ね合わせられる部位
・延出部２２：後面部１３Ｂから延出した部位
重合部２１は、後面部１３Ｂに対して固定されている。
延出部２２は、フラップ状に設けられている。この延出部２２には、前面部１３Ｆに対面する表面（いわば「ウラ面」）に貼付用の接着剤あるいは粘着剤が塗布されている。
【００３０】
前面部１３Ｆのうち延出部２２が貼り付けられた部位（以下「貼付部」と称する）１５には、貼付性の低下を抑制する加工が施されている。具体例を挙げれば、貼付部１５を避けて図柄や文字といったデザイン１７がレイアウトされており、デザイン１７用のインキによる貼付性の低下が抑制されている。ここでは、デザイン１７の一部が貼付部１５と重複しないように、貼付部１５よりも下方に一体的なデザイン１７が配置されている。
【００３１】
貼付性の低下を抑制する加工としては、上記のようにインキを貼付部１５に用いない加工のほか、貼付性を向上させる機能剤の塗工や貼付性を高める表面加工といった種々の加工が挙げられる。
上記のように舌片２が貼り付けられることにより、収容領域Ｒ１と非収容領域Ｒ２との間には左右方向に連通したトンネル状の空間Ｓが形成される。この空間Ｓには、つぎに説明するバンド３が挿通されている。
【００３２】
＜バンド＞
バンド３は、非収容領域Ｒ２の外側で巻回された状態に設けられている。バンド３としては、紐あるいはリボンなどの細長い部材が用いられる。
ここでは、非収容領域Ｒ２の外側で二重（多重）に巻き回された丸紐状のバンド３が結び留められた例を挙げる。丸紐状のバンド３としては、いわゆる「ラタン紐」が挙げられる。
【００３３】
バンド３の一周あたりの長さ（以下「周長」と称する）は、ガゼット袋１における収容領域Ｒ１の胴囲よりも小さい周長であって非収容領域Ｒ２の胴囲よりも大きい周長をなす。すなわち、バンド３の周長を「Ｗ」とし、上述のように収容領域Ｒ１の胴囲を「Ｗ１」とするとともに非収容領域Ｒ２の胴囲を「Ｗ２」とすれば、下記の不等式（式３）を満たす。
Ｗ２＜Ｗ＜Ｗ１・・・式３
そのほか、バンド３の全長は、上記の不等式を満たす周長に結び留められるのであれば、任意の寸法を採用することができる。たとえば、バンド３の全長には１０００〜２０００[mm]が設定される。バンド３の全長に採用される一例としては１５００[mm]が挙げられる。このバンド３に採用されうる寸法の設定例としては、結び留められる部分よりも端部側の長さ（周長に寄与しない部分の長さ）が４００[mm]，周長が５５０[mm]（二周分の長さは１１００[mm]）が挙げられる。
【００３４】
［１−２．開封構造］
開封構造４は、図１，図３に示すように、主面部１３に貼り付けられた舌片２に設けられている。この開封構造４は、図５に示すように、舌片２（包装体）のうち主に延出部２２に延在する帯状領域ＲＷを切り取って開封するための構造である。
帯状領域ＲＷは、舌片２の左右方向に延在する領域であって上下方向（幅方向）に巾をもつ領域である。
【００３５】
この開封構造４において帯状領域ＲＷの上側（巾方向一側）および下側（巾方向他側）の端縁には、以下に示す二種の切取部４１，４２が設けられている。
・第一切取部４１：帯状領域ＲＷにおいて上側の端縁に沿って延設された部位
・第二切取部４２：帯状領域ＲＷにおいて下側の端縁に沿って延設された部位
切取部４１，４２は、帯状領域ＲＷが切り取られるときに破断される部位である。
【００３６】
切取部４１，４２で帯状領域ＲＷが切り取られる方向は、左右方向に沿う方向であって下方へ向けて傾斜した方向（第一切取部４１から第二切取部４２へ向かう方向）が想定されている。
このようにやや傾斜した方向に帯状領域ＲＷが切り取られる場合には、上側の第一切取部４１が切り取られてから下側の第二切取部４２が切り取られるように切取部４１，４２へ破断力が印加される。
【００３７】
そのため、第一切取部４１に第二切取部４２よりも大きな破断力が印加されやすい傾向にあり、破断力の印加方向が第一切取部４１の延在方向に対して交差する角度よりも第二切取部４２の延在方向に対して交差する角度のほうが大きい傾向にある。よって、第一切取部および第二切取部のそれぞれを破断するのに要する強度（すなわち「破断強度」）が同等に設定されていると、第二切取部の破断不良を招くおそれがある。
そこで、切取部４１，４２の破断強度がそれぞれに設定されている。具体的には、第一切取部４１よりも第二切取部４２の破断強度が小さく設定されている。
【００３８】
上記のような破断強度の大小を設定するための構成として、ミシン目の寸法が調節された構成を例示する。具体的には、下記のカット部Ｃ１，Ｃ２や非カット部Ｕ１，Ｕ２の寸法が調節された構成を例説する。
・ 第一のカット部Ｃ１ ：第一切取部４１において断続的に切り込まれた部位
・ 第二のカット部Ｃ２ ：第二切取部４２において断続的に切り込まれた部位
・第一の非カット部Ｕ１：第一のカット部Ｃ１どうしの間に間欠的に設けられた部位
・第二の非カット部Ｕ２：第二のカット部Ｃ２どうしの間に間欠的に設けられた部位
【００３９】
第一のカット部Ｃ１どうしの間では、第一の非カット部Ｕ１において帯状領域ＲＷとこの領域ＲＷに対して上側の領域とが連続している。同様に、第二のカット部Ｃ２どうしの間では、第二の非カット部Ｕ２において帯状領域ＲＷとこの領域ＲＷに対して下側の領域とが連続している。
第一のカット部Ｃ１よりも第二のカット部Ｃ２のほうが長い寸法で切り込まれている。このように切り込まれた寸法の長短を切取部４１，４２に設定することで、第一切取部４１よりも第二切取部４２の破断強度が抑えられる。たとえば、第一のカット部Ｃ１が２[mm]の寸法で切り込まれ、第二のカット部Ｃ２が４[mm]の寸法で切り込まれる。
【００４０】
ここでは、第一の非カット部Ｕ１と第二の非カット部Ｕ２とが同等の寸法で切り残されている。たとえば、非カット部Ｕ１，Ｕ２が１[mm]の寸法で切り残されている。
ただし、第一の非カット部Ｕ１よりも第二の非カット部Ｕ２のほうが短い寸法で切り残されていてもよい。このように切り残された寸法の長短を切取部４１，４２に設定することによっても、第一切取部４１よりも第二切取部４２の破断強度が抑えられる。
【００４１】
さらに、本開封構造４には、下記のテーパー部４３や持手部４４が設けられている。
・テーパー部４３：上下方向の寸法が左右方向中央側へ向かうほど小さくなる部位
・  持手部４４  ：開封構造４の切取時の摘ままれる部位
テーパー部４３は、帯状領域ＲＷの左側（長手方向一側）において、左右方向中央側へ向かうほど上下方向の寸法が小さくなるテーパー形状の部位である。敷衍して言えば、帯状領域ＲＷの右端（長手方向他端）のほうが左端（長手方向一端）よりも上下方向の寸法が小さく設定されている。
【００４２】
このように左右非対称な帯状領域ＲＷを形成するテーパー部４３の設けられた開封構造４は、帯状領域ＲＷの左側が右側よりも大きく形成されている。そのため、帯状領域ＲＷの左側に右側よりも大きな領域（いわば「包装体のユーザにとって摘まみやすい領域」）が確保され、帯状領域ＲＷの切取方向が左方から右方へ向かう方向に設定される。さらに、上記のテーパー部４３が設けられることにより、帯状領域ＲＷの切取方向が下方へ向けて傾斜した方向になりやすい。
【００４３】
持手部４４は、開放側を左右方向中央に向けたコの字形状の連続した切込線Ｌで囲繞された部位である。すなわち、持手部４４は、帯状領域ＲＷの左右端部（長手方向端部）のそれぞれに設けられ、第一切取部４１と第二切取部４２とを結ぶ連続した切込線Ｌで上側（巾方向一側）および下側（巾方向他側）ならびに左右端部（長手方向端部）の三方が囲繞された部位である。
上記の持手部４４に対して左右のそれぞれには、持手部４４を左右反転させた形状に切り込まれた補助持手部４５も設けられている。
【００４４】
そのほか、帯状領域ＲＷに対して左右に不感領域ＲＯが設けられている。不感領域ＲＯは、帯状領域ＲＷと舌片２の左右端縁との左右方向中間（包装体の端縁との間）に位置する。
この不感領域ＲＯは、帯状領域ＲＷよりも切り取りにくく設けられている。具体的に言えば、第一切取部４１を仮想的に延長した線状のミシン目４６が不感領域ＲＯに設けられている。このミシン目４６は、切取部４１，４２よりも切り込まれた寸法が小さく設定され、切り残された寸法が大きく設定されている。たとえば、ミシン目４６のカット部が１[mm]の寸法で切り込まれ、ミシン目４６の非カット部が４[mm]の寸法で切り残されている。
【００４５】
このようにして、不感領域ＲＯの破断強度が切取部４１，４２の破断強度よりも大きく設定されている。
なお、上記の開封構造４における帯状領域ＲＷおよび不感領域ＲＯの一部には、前面部１３Ｆに対面する表面のうち、図５に網点を付して示す領域に接着剤あるいは粘着剤による貼付を防止する剥離紙が積層されている。
【００４６】
［２．作用および効果］
本実施形態は、上述のように構成されるため、下記のような作用および効果を得ることができる。
本項目［２］では、包装体を小項目［２−１］で説明し、開封構造４を小項目［２−２］で説明する。
【００４７】
［２−１．包装体］
（１）本実施形態の包装体によれば、ガゼット袋１の非収容領域Ｒ２に対して外側に、収容領域Ｒ１の胴囲よりも小さい周長であって非収容領域Ｒ２の胴囲よりも大きい周長のバンド３が巻回されている。このことから、ティシュペーパ９の包装容器としてガゼット袋１を使用する場合に、折り畳まれたマチ面部１４の展開をバンド３で制限することができる。そのため、ティシュペーパ９の取出口がバンド３で適切に絞られ、延出した状態のティシュペーパ９を保持することができる。
【００４８】
さらに、ティシュペーパ９の残量が減少した場合には、立面部１２を折り返すことで、ティシュペーパ９を取り出し可能な位置にティシュペーパ９の取出口を下方へ移動させることができる。このとき、ガゼット袋１や舌片２にバンド３が固定されておらず、ガゼット袋１や舌片２に対してバンド３の上下方向位置が調節自在であることから、下方へ移動した取出口をバンド３で調節することができる。このようにして、ティシュペーパ９が取り出される箇所の上下方向位置によらず、ティシュペーパ９の取出口が過剰に大きくなるのをバンド３で抑えることができる。
よって、包装体のユーザビリティを高めることができる。
【００４９】
（２）バンド３が非収容領域Ｒ２の外側で二重に巻回されていることから、一重に巻回されたバンドと比較して全長が長い。そのため、バンド３とガゼット袋１との接触箇所や摩擦力を確保することができ、ティシュペーパ９の取出口を拡げたり狭めたりする調節代を確保することもできる。よって、ティシュペーパ９の取出口に対するバンド３による調節の安定性を向上させることができ、調節の範囲を拡充することもできる。この点からも、包装体のユーザビリティを高めることができる。
【００５０】
（３）バンド３が丸紐状であれば、平帯状のバンドよりもガゼット袋１に対する引っ掛かりが抑えられ、上下方向位置の変更が容易となる。この点からも、包装体のユーザビリティを高めることができる。
【００５１】
（４）ガゼット袋１，舌片２，バンド３の全てが紙製であることから、包装体を部位ごとに分解することなく可燃ゴミとして廃棄することができ、包装体の易廃棄性を確保することができる。ガゼット袋１，舌片２，バンド３が紙製の包装体は、箱ティシュのようにティシュペーパの取出口にプラスチック製のフィルムが設けられた包装体と比較すれば、プラスチックの廃棄物を削減（いわゆる「脱プラ」）することができ、古紙の回収に供することもできる。よって、環境負荷を低減させることができる。
【００５２】
（５）さらに、ガゼット袋１および舌片２にクラフト紙が用いられていることから、ガゼット袋および舌片に上質紙が用いられた包装体と比較して、環境負荷の低減に資する。
更に言えば、クラフト紙製の包装体からそのままティシュペーパ９が取り出せることで、インテリアになじむデザインを提供することができ、エコロジー思想をもつユーザや暮らしになじむデザインを嗜好するユーザに対して包装体を訴求することができる。
【００５３】
（６）ガゼット袋１から延出した舌片２が主面部１３に貼り付けられることから、ティシュペーパ９を収容した包装体を封緘することができる。
さらに、主面部１３に舌片２が貼り付けられることにより、収容領域Ｒ１と非収容領域Ｒ２との間で左右方向に連通したトンネル状の空間Ｓにバンド３が挿通される。そのため、バンド３で舌片２の貼り付けられたガゼット袋１を吊り下げることができ、包装体の持ち運びに供する提げ手としてバンド３を利用することができる。
【００５４】
（７）主面部１３において舌片２の貼り付けられる貼付部１５には、貼付性の低下を抑制する加工が施されている。そのため、主面部１３に舌片２を確実に貼り付けることができる。貼付部１５においてニスの塗布やサイズ剤の含浸といった貼付性の低下を招くおそれのある加工が施されていたとしても、貼付部１５に対する舌片２の貼付性を確保することができる。
【００５５】
（８）開封された包装体の使用方法を表示する取説部１６が非収容領域Ｒ２の外側に配置されているため、開封された包装体の立面部１２が下方へ折り返されると、立面部１２の折り返された部分で取説部１６が被覆される。このようにして包装体の使用時には取説部１６が隠れることで、使用している包装体の外観が取説部１６によって低下するのを抑えることができる。
この取説部１６は、前面部１３Ｆにおいて舌片２の貼り付けられる貼付部１５に対して開口１Ｏ側に配置されていることから、開封前の包装体において非収容領域Ｒ２の前面部１３Ｆや後面部１３Ｂで被覆される。このように開封前の包装体に取説部１６が露出しないことで、未開封の包装体の外観が取説部１６によって低下するのも抑えられる。
なお、開封される前の包装体において取説部１６が露出している場合には、開封前から包装体の使用方法をユーザに表示することができる。
【００５６】
（９）左右方向の寸法よりも上下方向の寸法のほうが大きいサイズのティシュペーパ９がガゼット袋１に収容されるため、包装体に大容量のティシュペーパ９が収容される。このことから、五個パックあるいは二個パックといった複数が一セットになって販売されている箱ティシュに相当する容量のティシュペーパ９を収容した包装体を、箱ティシュを一セットにする外装フィルムを用いることなく提供することができる。そのため、プラスチックの廃棄物を削減することができ、環境負荷を低減させることができる。
【００５７】
［２−２．開封構造］
（１）本実施形態の開封構造４によれば、第一切取部４１よりも第二切取部４２の破断強度が小さく設定されている。このことから、第一切取部４１から第二切取部４２へ向かう方向へ傾斜した方向に帯状領域ＲＷが切取部４１，４２で切り取られるときに、第一切取部４１だけでなく第二切取部４２も良好に破断させることができる。
詳細に言えば、第一切取部４１よりも第二切取部４２に小さな破断力が印加される場合には、第一切取部４１よりも第二切取部４２の破断強度が抑えられているため、第一切取部４１に印加される破断力よりも小さな破断力で第二切取部４２を切り取ることができる。また、破断力の印加方向が第一切取部４１の延在方向に対する交差角度よりも第二切取部４２の延在方向に対する交差角度のほうが大きい場合には、第一切取部４１の延在方向に沿って印加される破断力よりも第二切取部４２の延在方向に沿って印加される破断力のほうが小さくなる傾向にある。このように第二切取部４２に印加される破断力が小さかったとしても、第二切取部４２の破断強度が抑えられているため、第二切取部４２に沿って良好に破断させることができる。
よって、開封構造４の破断不良を抑えることができる。
【００５８】
（２）第一のカット部Ｃ１よりも第二のカット部Ｃ２のほうが長い寸法で切り込まれている。このようにカット部Ｃ１，Ｃ２が切り込まれた寸法の長短によって、第一切取部４１よりも第二切取部４２の破断強度を抑えることができる。
（３）第一の非カット部Ｕ１よりも第二の非カット部Ｕ２のほうが短い寸法で切り残されていれば、非カット部Ｕ１，Ｕ２が切り残された寸法の長短によって、第一切取部４１よりも第二切取部４２の破断強度を抑えることができる。
【００５９】
（４）帯状領域ＲＷの左側において左右方向中央側へ向かうほど上下方向の寸法が小さくなるテーパー部４３によって、帯状領域ＲＷの切取方向が下方へ向けて傾斜した方向になりやすい。このような切取方向の開封構造４に対して破断強度の大小が設定された切取部４１，４２が設けられることで、開封構造４の破断不良を効率よく抑えられる。
（５）帯状領域ＲＷの右端のほうが左端よりも上下方向の寸法が小さく設定されることで、帯状領域ＲＷの右側が不意に破断するのを抑えることができ、帯状領域ＲＷの左側を意図した切取操作で破断させやすくすることができる。
【００６０】
（６）切込線Ｌで帯状領域ＲＷの上側および下側ならびに左右端部の三方が囲繞された持手部４４が設けられるため、開封構造４の帯状領域ＲＷが切り取られるときにユーザが持手部４４を摘まむことができる。よって、帯状領域ＲＷを切り取る作業性が向上する。
持手部４４に対して左右のそれぞれには、持手部４４を左右反転させた形状に切り込まれた補助持手部４５も設けられることから、補助持手部４５を摘まんで不感領域ＲＯを切り取る作業性を高めることもできる。
【００６１】
（７）帯状領域ＲＷと舌片２の左右端縁との間に設けられた不感領域ＲＯの破断強度が切取部４１，４２の破断強度よりも大きく設定されていることから、開封構造４の意図しない破断を抑えることができる。たとえば、包装体の提げ手としてバンド３が利用されているときに、位置のズレたバンド３によって開封構造４の後側（いわば「ウラ側」）から前側（いわば「オモテ側」）へ向けて領域ＲＷ，ＲＯが押圧されたとしても、不感領域ＲＯでの破断が抑えられる。延いては、持ち運ばれている包装体においてガゼット袋１および舌片２のバンド３からの脱離を抑制することができる。
【００６２】
［ＩＩ．変形例］
上述の実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
以下、包装体の変形例を項目［１］で述べ、開封構造の変形例を項目［２］で述べる。
【００６３】
［１．包装体］
バンドは、丸紐状に限らず平帯状であってもよく、二重に巻回された形態に限らず一重に巻回されていてもよいし三重以上の多重に巻回されていてもよい。バンドが平帯状であれば、丸帯状のバンドと比較して、ガゼット袋に対する接触面積や摩擦力が確保され、ティシュペーパの取出口の絞られた状態を安定して保持することができる。バンドが一重に巻回されていれば、二重以上の多重に巻回されたバンドと比較して、バンドに用いられる資材が低減し、包装体の資材コストの低減や重量を軽減させることができる。一方、バンドが三重に巻回されていれば、ガゼット袋１に対する接触箇所や摩擦力を一層確保することができ、ティシュペーパの取出口の調節代を更に拡充することができる。
【００６４】
バンドは、紙製に限らず、ゴム製，樹脂製，金属製といったさまざまな材料から製造されたものであってもよい。バンドに用いられる材料によって、バンドの強度，触感，耐久性といった種々の機能性を高めることができる。
ガゼット袋に収容されたティシュペーパの寸法は、左右方向の寸法よりも上下方向の寸法のほうが大きいサイズに限らず、任意の寸法を採用することができる。たとえば、一箱分の箱ティシュに収容されたティシュペーパに相当する量のティシュペーパがガゼット袋に収容されていてもよい。
【００６５】
包装体には、少なくともガゼット袋およびバンドが設けられていればよく、舌片を省略してもよい。この場合には、包装体の封緘性が低下しうるものの、包装体を簡素な構成とすることができ、資材コストの低減や重量の軽減に寄与する。
また、貼付部における貼付性の低下を抑制する加工や取説部を省略してもよい。この場合にも、包装体を簡素な構成とすることができ、製造コストの低減に寄与する。
【００６６】
［２．開封構造］
第一切取部および第二切取部には、カット部や非カット部でミシン目の設けられた形態に限らず、舌片（包装体）の厚み方向における一部が切り込まれたカット形態（いわゆる「ハーフカット」）が採用されていてもよい。この場合には、第一切取部よりも第二切取部における厚み方向の切り込み深さを大きくすることで、破断強度の大小を設定することができる。
【００６７】
第一切取部の非カット部よりも第二切取部の非カット部のようが短い寸法であれば、第一切取部のカット部と第二切取部のカット部とが同等の寸法であってもよい。このようにカット部および非カット部の何れか一方が同等の寸法であったとしても、第一切取部および第二切取部の破断強度を相違させることができる。
【００６８】
テーパー部や持手部は、省略してもよい。テーパー部や持手部が省略された場合には、開封構造を簡素な構成とすることができる。さらに、テーパー部が省略された場合には、上下方向（巾方向）の寸法が一定の帯状領域が設けられ、開封構造の切取方向を左方から右方へ向かう方向と右方から左方へ向かう方向との二方向に切り取りやすさの異方性をなくすことができる。このようにして切取方向の等方性をもたせたユニバーサルデザインを開封構造に採用してもよい。
【００６９】
不感領域も省略すれば、開封構造を簡素な構成とすることができるうえに、開封性を高めることができる。
そのほか、開封構造が左右方向に対称に形成されていてもよい。たとえば、左右のそれぞれにテーパー部が設けられていてもよい。このようにシンメトリーなデザインを開封構造に採用することで、開封構造のデザイン性を高めることに寄与する。
【符号の説明】
【００７０】
１    ガゼット袋
１１    底面部
１２    立面部
１３    主面部
１３Ｆ    前面部
１３Ｂ    後面部
１４    マチ面部
１４Ｌ    左面部
１４Ｒ    右面部
１５    貼付部
１６    取説部
１７    デザイン
１Ｏ    開口
２    舌片
２１    重合部
２２    延出部
３    バンド
４    開封構造
４１    第一切取部
４２    第二切取部
４３    テーパー部
４４    持手部
４５    補助持手部
９    ティシュペーパ
Ｃ１，Ｃ２    カット部
Ｒ１    収容領域
Ｒ２    非収容領域
ＲＷ    帯状領域
ＲＯ    不感領域
Ｓ    空間
Ｌ    切込線
Ｕ１，Ｕ２    非カット部
【図１】
0006948362.tif 000002
【図２】
0006948362.tif 000003
【図３】
0006948362.tif 000004
【図４】
0006948362.tif 000005
【図５】
0006948362.tif 000006